(57)【要約】【課題】引掛シーリングに着脱可能に取り付けられる引掛シーリングアダプタを汎用品とすることができ、しかもリモコン受信器や保安灯などの電気部品を追加で装着できる付加ユニットを提供することである。【解決手段】付加ユニット本体１２には電気部品が収納され、引掛シーリング１４に着脱可能に取り付けられる引掛シーリングアダプタ１３に着脱可能に装着される。また、コネクタ接続部２３は引掛シーリングアダプタ１３のコネクタ１９と接続され電源供給を受け、接続コネクタ２４は引掛シーリングアダプタ１３から供給された電源を別の機器に供給する。【選択図】図１
2010153149.tif 000002
【特許請求の範囲】
【請求項１】
引掛シーリングに着脱可能に取り付けられる引掛シーリングアダプタに着脱可能に装着され電気部品が収納された付加ユニット本体と；
前記引掛シーリングアダプタのコネクタと接続され電源供給を受けるためのコネクタ接続部と；
前記引掛シーリングアダプタから供給された電源を別の機器に供給するための接続コネクタと；
を備えたことを特徴とする付加ユニット。
【請求項２】
前記引掛シーリングアダプタに設けられた解除ボタンを覆うように前記付加ユニット本体を配置したことを特徴とする請求項１記載の付加ユニット。
【請求項３】
請求項１または２記載の付加ユニットと；
前記付加ユニットが装着される前記引掛シーリングアダプタ及び光源が取り付けられた器具本体と；
を備えたことを特徴とする照明装置。
【発明の詳細な説明】
【技術分野】
【０００１】
本発明は、引掛シーリングアダプタに着脱可能に装着され付加ユニット及び照明装置に関する。
【背景技術】
【０００２】
例えば、天井直付け照明器具においては、器具本体に設けられた引掛シーリングアダプタを天井面の引掛シーリングに着脱可能に取り付けて天井面に配置される。このような照明器具では、リモコン受信器や保安灯が設けられることがある。
【０００３】
引掛シーリングに対して照明器具本体を着脱可能に取り付けて支持する天井直付け照明器具取付装置として、装置ベースとは別にリモートコントロール機能を備えたリモコンユニット本体と、これに電気的に接続された受光センサ部とを備え、受光センサ部を装置ベースの下面に配設し、受光センサを器具本体の中央部に配置して、受光感度や指向性の向上、受信ノイズの改善を図るようにしたものがある（例えば、特許文献１参照）。
【０００４】
また、天井直付け照明器具を天井面に取り付けるための取付装置として、天井面に設けた引掛シーリングに係止されると共に、照明器具本体を着脱可能に取り付けて支持し、栓刃を備えた取付装置本体の下部に、保安灯ソケット及びリモコン受信器を有する受信器ユニットを設け、保安灯ソケットの保安灯装着面及び受光センサをリモコン受信器の下面に配置して成るようにしたものがある（例えば、特許文献２参照）。
【特許文献１】特開２０００−１１７４０号公報
【特許文献２】特開２０００−３２２９２８号公報
【発明の開示】
【発明が解決しようとする課題】
【０００５】
しかし、特許文献１や特許文献２のものでは、引掛けシーリングアダプタ（取付装置）と受光センサ部とが一体的に取り付けられているので、照明器具の機種毎に引掛けシーリングアダプタを用意しなければならない。すなわち、引掛けシーリングアダプタ側の開発において、引掛けシーリングアダプタに受光センサ等の電気部品を収納もしくは取り付けができるように、照明器具の機種毎に引掛けシーリングアダプタを専用筺体にする必要がある。そのため、汎用の引掛けシーリングアダプタとすることができない。
【０００６】
また、近年、例えば家庭内等において無線ネットワークを構築し、無線によって照明器具を操作する試みがなされている。このような場合には、照明器具に無線アダプタ等の機器を取り付ける必要がある。
【０００７】
本発明の目的は、引掛シーリングに着脱可能に取り付けられる引掛シーリングアダプタを汎用品とすることができ、しかも無線アダプタなどの電気部品を追加で装着できる付加ユニット及び照明装置を提供することである。
【課題を解決するための手段】
【０００８】
請求項１の発明に係わる付加ユニットは、引掛シーリングに着脱可能に取り付けられる引掛シーリングアダプタに着脱可能に装着され電気部品が収納された付加ユニット本体と；前記引掛シーリングアダプタのコネクタと接続され電源供給を受けるためのコネクタ接続部と；前記引掛シーリングアダプタから供給された電源を別の機器に供給するための接続コネクタと；を備えたことを特徴とする。
【０００９】
引掛シーリングとは天井面に取り付けられ、引掛シーリングに引っ掛けて取り付けられる引掛シーリングアダプタの荷重を保持するとともに引掛シーリングアダプタに電源供給を行うものをいう。
【００１０】
付加ユニット本体とは付加ユニットを構成する筐体をいい、引掛シーリングに引っ掛けられて引掛シーリングから電源の供給を受ける引掛シーリングアダプタに着脱可能に取り付けられる。また、付加ユニット本体に収納された電気部品は、例えば、リモコン受信器の受光センサや保安灯の光源などである。
【００１１】
コネクタ接続部とは、引掛シーリングアダプタのコネクタが差し込まれて接続されるコネクタであり、引掛シーリングから引掛シーリングアダプタを介して電源供給を受けるものである。接続コネクタとは、引掛シーリングアダプタから供給された電源を別の機器に供給するためのコネクタである。
【００１２】
請求項２の発明に係わる付加ユニットは、請求項１記載の発明において、前記引掛シーリングアダプタに設けられた解除ボタンを覆うように前記付加ユニット本体を配置したことを特徴とする。
【００１３】
本発明は、請求項１の発明において、付加ユニットを引掛シーリングアダプタに着脱可能に取り付ける際に、引掛シーリングアダプタに設けられた解除ボタンを覆うように、付加ユニットを配置したものである。
【００１４】
請求項３の発明に係わる付加ユニットは、請求項１または２記載の付加ユニットと；前記付加ユニットが装着される前記引掛シーリングアダプタ及び光源が取り付けられた器具本体と；を備えたことを特徴とする。
【発明の効果】
【００１５】
請求項１の発明によれば、引掛けシーリングアダプタと付加ユニットとを分離した構造としたので、引掛けシーリングアダプタを専用筺体とせずに汎用性を持たせた引掛けシーリングアダプタとし、無線アダプタなどの電気部品を追加で付加ユニットに装着できる。
【００１６】
請求項２の発明によれば、引掛シーリングアダプタに設けられた解除ボタンを覆うように付加ユニット本体を配置するので、解除ボタンを誤って操作することがなくなる。
【００１７】
請求項３の発明によれば、請求項１及び２の効果を有する照明装置を提供できる。
【発明を実施するための最良の形態】
【００１８】
図１は本発明の実施の形態に係わる付加ユニット１１の構成図である。付加ユニット１１の付加ユニット本体１２の内部には、図示省略の電気部品が収納される。付加ユニット本体１２の内部に収納される電気部品は、例えば、照明装置の場合には、リモコン受信器の受光センサや保安灯の光源などである。また、火災検知機やガス漏れ検知機の場合には、警報器などである。
【００１９】
付加ユニット本体１２は、引掛シーリングアダプタ１３を介して天井面に取り付けられた引掛シーリング１４に取り付けられる。引掛シーリング１４には、引掛シーリングアダプタ１３の充電金具１５が挿入される接続孔１６が設けられている。すなわち、引掛シーリングアダプタ１３には、引掛シーリング接続部としての断面略Ｌ字状をなす一対の充電金具１５が突設されており、これら充電金具１５が引掛シーリング１４の接続孔１６に挿入されて、所定角度だけ回動することにより、引掛シーリングアダプタ１３の上面が引掛シーリング１４の下面に当接した状態で、これら充電金具１５が引掛シーリング１４内部の接続金具に電気的および機械的に接続されるようになっている。
【００２０】
また、引掛シーリングアダプタ１３の側面には、内側から突出し後述の器具本体に係止するための一対の係止片１７が設けられている。係止片１７は、引掛シーリングアダプタ１３の内側からスプリング部材で側面に押し出されるようになっており、引掛シーリングアダプタ１３の下面に設けられた解除ボタン１８を押すことにより、引掛シーリングアダプタ１３の内側に引っ込むように構成されている。従って、解除ボタン１８を押すと器具本体から離脱し、解除ボタン１８を押すのをやめると係止片１７が引掛シーリングアダプタ１３の側面から突出する。
【００２１】
引掛シーリングアダプタ１３を器具本体に取り付けるときは、解除ボタン１８を押して、一旦、係止片１７を引掛シーリングアダプタ１３の内側に引っ込めて、器具本体の係止穴の位置に合わせ、その後に、解除ボタン１８を押すのを止めて係止片１７を突出させ係止穴に挿入する。また、引掛シーリングアダプタ１３の側面にはコネクタ１９が設けられている。このコネクタ１９は引掛シーリング１４から受電した電力を付加ユニット１１に供給するためのコネクタである。
【００２２】
引掛シーリングアダプタ１３の下面には、付加ユニット１１を取り付けるための棒状の取付凸部２０が設けられ、付加ユニット１１には棒状の取付凸部２０と嵌合する取付凹部２１が設けられている。また、付加ユニット１１の上面には、引掛シーリングアダプタ１３の解除ボタン１８と対面する位置に解除ボタン１８を収納するための収納穴２２が設けられている。
【００２３】
引掛シーリングアダプタ１３に付加ユニット１１を取り付けるにあたっては、引掛シーリングアダプタ１３に設けられた解除ボタン１８を付加ユニット１１で覆うように取り付けられる。
【００２４】
すなわち、引掛シーリングアダプタ１３の取付凸部２０を付加ユニット１１の取付凹部２１に挿入する。これにより、引掛シーリングアダプタ１３の取付凸部２０が付加ユニット１１の取付凹部２１に嵌合され、付加ユニット１１は引掛シーリングアダプタ１３に装着される。その際に、解除ボタン１８は付加ユニット１１の収納穴２２に収納される。取付凹部２１の内面にはゴムなどの弾性体が施されており、取付凸部２０が取付凹部２１に挿入されたときに、取付凹部２１の内面の弾性体で取付凸部２０を保持することになる。
【００２５】
付加ユニット１１の側面には、引掛シーリングアダプタ１３のコネクタ１９と接続されるコネクタ接続部２３が設けられ、これにより、付加ユニット１１は引掛シーリングアダプタ１３から電源供給を受け、内部に収納した電気部品に電源を供給する。また、付加ユニット１１の側面には、引掛シーリングアダプタ１３から供給された電源を別の機器に供給するための接続コネクタ２４が設けられ、例えば、照明装置の場合には、照明装置の光源や点灯装置などに電源を供給する。
【００２６】
図２は本発明の実施の形態に係わる付加ユニット１１の他の一例の構成図である。図２に示す付加ユニット１１は、図１に示した付加ユニット１１に対し、引掛シーリングアダプタ１３の下面の棒状の取付凸部２０に代えて、鉤状の取付片２０ａとし、付加ユニット１１には鉤状の取付凸部２０ａが挿入される取付凹部２１ｂを設けたものである。図１と同一要素には、同一符号を付し重複する説明は省略する。
【００２７】
図２に示すように、引掛シーリングアダプタ１３の下面には、付加ユニット１１との接続部としての断面略Ｌ字状をなす一対の鉤状の取付凸部２０ａが突設されており、これら鉤状の取付凸部２０ａが付加ユニット１１の取付凹部２１ｂに挿入されて、所定角度だけ回動させることにより、引掛シーリングアダプタ１３に付加ユニット１１を取り付ける。これにより、引掛シーリングアダプタ１３と付加ユニット１１との取り付けがより強固になる。
【００２８】
図３は本発明の実施の形態に係わる照明装置の構成図である。天井面２５には引掛シーリング１４が設けられている。一方、照明装置の器具本体２６には引掛シーリングアダプタが係止片１７にて取り付けられている。そして、付加ユニット１１が引掛シーリングアダプタ１３に設けられた解除ボタン１８を覆うように引掛シーリングアダプタ１３に装着される。器具本体２６には光源２８や点灯装置２９が取り付けられており、前面にはカバー２７が取り付けられている。
【００２９】
本発明の実施の形態によれば、引掛けシーリングアダプタ１３と付加ユニット１１とを分離した構造とするので、汎用性を持たせた引掛けシーリングアダプタ１３を用いることができる。そして、リモコン受信器や保安灯などの電気部品を追加で付加ユニット１１に装着できるので、照明装置の機種に応じて付加ユニット１１に装着する電気部品を選択することにより付加機能を実現できる。
【図面の簡単な説明】
【００３０】
【図１】本発明の実施の形態に係わる付加ユニット１１の構成図。
【図２】本発明の実施の形態に係わる付加ユニット１１の他の一例の構成図。
【図３】本発明の実施の形態に係わる照明装置の構成図。
【符号の説明】
【００３１】
１１…付加ユニット、１２…付加ユニット本体、１３…引掛シーリングアダプタ、１４…引掛シーリング、１５…充電金具、１６…接続孔、１７…係止片、１８…解除ボタン、１９…コネクタ、２０…取付凸部、２１…取付凹部、２２…収納穴、２３…コネクタ接続部、２４…接続コネクタ、２５…天井面、２６…器具本体、２７…カバー、２８…光源、２９…点灯装置
【図１】
2010153149.tif 000003
【図２】
2010153149.tif 000004
【図３】
2010153149.tif 000005